(57)【要約】【課題】センターシールの破損を抑制することが可能な貯蔵庫を提供する。【解決手段】貯蔵庫本体１０と、一対の扉１５Ａ、１５Ｂと、一対の扉１５Ａ、１５Ｂに取り付けられるドアパッキン２０およびセンターシール４０と、を備える貯蔵庫１であって、ドアパッキン２０は、扉１５Ａ、１５Ｂの後面１５Ｄに取り付けられ、一対の扉１５Ａ、１５Ｂにおける互いに対向する側の開閉側端部（端部）１５Ｅには、センターシール４０を保持する保持部材（保持部）２４がそれぞれ設けられており、保持部材２４とドアパッキン２０との間には隙間Ｇが設けられている。センターシール４０は、隙間Ｇを後方から覆うヒレ部４２を備え、隙間Ｇ内には、ヒレ部４２が隙間Ｇ内に入り込むことを抑制する抑制部６４が設けられている。【選択図】図５
2020180766.tif 000002
【特許請求の範囲】
【請求項１】
貯蔵庫本体と、一対の扉と、一対の前記扉にそれぞれ取り付けられるドアパッキンおよびセンターシールと、を備える貯蔵庫であって、
前記貯蔵庫本体は、前方に開口する開口部を有する箱状をなしており、
一対の前記扉は、観音開き式の扉とされ、前記開口部に前後方向に開閉可能にそれぞれ取り付けられており、
前記ドアパッキンは、前記扉の後面に取り付けられ、前記開口部と前記後面との間をシールし、
一対の前記扉における互いに対向する側の端部には、前記センターシールを保持する保持部がそれぞれ設けられており、
一対の前記扉における前記保持部は、前記センターシールを保持する保持本体部を有し、前記保持本体部と前記ドアパッキンとの間には隙間が設けられており、
前記センターシールは、前記保持本体部に取り付けられる取付部と、他方の前記センターシールと当接することで一対の前記扉の間をシールするシール部と、前記隙間を後方から覆うヒレ部と、を備え、
前記隙間内には、前記ヒレ部が前記隙間内に入り込むことを抑制する抑制部が設けられている貯蔵庫。
【請求項２】
前記抑制部は、前記保持部における前記保持本体部から前記ドアパッキンに向けて突出し、さらに前記ヒレ部に向けて突出するＬ字状の突起とされる請求項１に記載の貯蔵庫。
【請求項３】
前記抑制部は、前記ドアパッキンに溶着され、前記保持本体部側に向けて突出する樹脂材とされる請求項１に記載の貯蔵庫。
【請求項４】
一対の前記扉における互いに対向する側面と交差する上側の側面部および下側の側面部の少なくとも一方には、取付部材が取り付けられており、
前記取付部材には、前記抑制部が設けられており、
前記抑制部は、前記取付部材から前記隙間内に向けて突出する突起とされる請求項１に記載の貯蔵庫。
【請求項５】
前記抑制部は、一対の前記扉における互いに対向する側面の延びる方向に長い棒状をなしており、前記隙間に挿通されている請求項１に記載の貯蔵庫。
【発明の詳細な説明】
【技術分野】
【０００１】
本開示は、貯蔵庫に関する。
【背景技術】
【０００２】
従来、縦型のワイドスルー形式（センターピラーレス）の貯蔵庫として、下記特許文献１に記載のものが知られている。特許文献１には、貯蔵庫本体と、扉と、センターシールと、保持部材と、ドアパッキンと、を備えて構成された冷却貯蔵庫が開示されている。
【０００３】
貯蔵庫本体は、開口を有する箱状をなしている。扉は、いわゆる観音開き式の扉であって、貯蔵庫本体の開口に一対設けられている。ドアパッキンは、各扉における貯蔵庫本体の開口縁部と対向する面にそれぞれ設けられている。扉が閉じられると、ドアパッキンは貯蔵庫本体の開口縁部に当接する。これにより、ドアパッキンは、扉と貯蔵庫本体の内部との間をシールする。
【０００４】
保持部材は、センターシールを保持する部材である。保持部材は、扉の開閉側端部の端面であって相手側の扉と対向する端面に全高にわたって装着されている。
【０００５】
一対のセンターシールは、保持部材に全高にわたって装着されている。扉が閉じられると、一対のセンターシールは相手側のセンターシールに当接する。これにより、扉の開閉側端部間をシールする。
【０００６】
センターシールは、第２延出部と、ヒレ部とを備えて構成されている。保持部材におけるドアパッキンと対向する面には、センターシールにおける第２延出部が装着される開口が設けられている。第２延出部とドアパッキンとの間には隙間が生じており、ヒレ部はその隙間を覆うように設けられている。
【先行技術文献】
【特許文献】
【０００７】
【特許文献１】特開２０１７−１８７２４１号公報
【発明の概要】
【発明が解決しようとする課題】
【０００８】
上記構成において、例えば貯蔵庫のメンテナンスの際にヒレ部を作業者が掴むことにより、ヒレ部が第２延出部とドアパッキンとの間の隙間に入り込むおそれがある。かかる場合、センターシールが相手側のセンターシール側に押され、センターシール同士が擦れ合うこととなり、センターシールが破損する要因となりうる。
【０００９】
本開示は上記のような事情に基づいて完成されたものであって、センターシールの破損を抑制することが可能な貯蔵庫を提供することを目的とする。
【課題を解決するための手段】
【００１０】
上記課題を解決するために、本開示の貯蔵庫は、貯蔵庫本体と、一対の扉と、一対の前記扉にそれぞれ取り付けられるドアパッキンおよびセンターシールと、を備える貯蔵庫であって、前記貯蔵庫本体は、前方に開口する開口部を有する箱状をなしており、一対の前記扉は、観音開き式の扉とされ、前記開口部に前後方向に開閉可能にそれぞれ取り付けられており、前記ドアパッキンは、前記扉の後面に取り付けられ、前記開口部と前記後面との間をシールし、一対の前記扉における互いに対向する側の端部には、前記センターシールを保持する保持部がそれぞれ設けられており、一対の前記扉における前記保持部は、前記センターシールを保持する保持本体部を有し、前記保持本体部と前記ドアパッキンとの間には隙間が設けられており、前記センターシールは、前記保持本体部に取り付けられる取付部と、他方の前記センターシールと当接することで一対の前記扉の間をシールするシール部と、前記隙間を後方から覆うヒレ部と、を備え、前記隙間内には、前記ヒレ部が前記隙間内に入り込むことを抑制する抑制部が設けられている。
隙間内に抑制部を設けることで、例えばメンテナンス時に作業者がヒレ部を掴むことによりヒレ部が隙間内に巻き込まれることが抑制される。したがって、ヒレ部が隙間内に入り込むことにより生じうるセンターシールの破損を抑制できる。
【００１１】
また、前記抑制部は、前記保持部における前記保持本体部から前記ドアパッキンに向けて突出し、さらに前記ヒレ部に向けて突出するＬ字状の突起とされる構成としても良い。
ヒレ部が隙間内に入り込もうとすると、ヒレ部が保持部に設けられた突起に接触するため、ヒレ部が元の位置に押し返される。これにより、ヒレ部が隙間内に入り込むことを抑制できる。
【００１２】
また、前記抑制部は、前記ドアパッキンに溶着され、前記保持本体部に向けて突出する樹脂材とされる構成としても良い。
ヒレ部が隙間内に入り込もうとすると、ヒレ部が樹脂材に接触するため、ヒレ部が元の位置に押し返される。これにより、ヒレ部が隙間内に入り込むことを抑制できる。
【００１３】
また、一対の前記扉における互いに対向する側面と交差する上側の側面部および下側の側面部の少なくとも一方には、取付部材が取り付けられており、前記取付部材には、前記抑制部が設けられており、前記抑制部は、前記取付部材から前記隙間内に向けて突出する突起とされる構成としても良い。
ヒレ部が隙間内に入り込もうとすると、ヒレ部が取付部材に設けられた突起に接触するため、ヒレ部が元の位置に押し返される。これにより、ヒレ部が隙間内に入り込むことを抑制できる。
【００１４】
また、前記抑制部は、一対の前記扉における互いに対向する側面の延びる方向に長い棒状をなしており、前記隙間に挿通されている構成としても良い。
ヒレ部が隙間内に入り込もうとすると、ヒレ部が隙間内に挿通された棒状の抑制部に接触するため、ヒレ部が元の位置に押し返される。これにより、ヒレ部が隙間内に入り込むことを抑制できる。
【発明の効果】
【００１５】
本開示によれば、センターシールの破損を抑制することが可能な貯蔵庫を提供できる。
【図面の簡単な説明】
【００１６】
【図１】図１は、実施形態１における貯蔵庫の正面図である。
【図２】図２は、扉を外した状態における貯蔵庫の正面図である。
【図３】図３は、扉の後方斜視図である。
【図４】図４は、扉の背面図である。
【図５】図５は、図４におけるＡ−Ａ位置における断面に、隣接する扉の断面を追加した断面図である。
【図６】図６は、実施形態２における扉の断面図である。
【図７】図７は、実施形態３における扉およびストッパの後方斜視図である。
【図８】図８は、実施形態４における扉の背面図である。
【図９】図９は、図８におけるＢ−Ｂ断面図である。
【図１０】図１０は、他の実施形態（４）における扉の背面図である。
【図１１】図１１は、他の実施形態（４）における扉の背面図である。
【発明を実施するための形態】
【００１７】
＜実施形態１＞
本開示の実施形態１を図１から図５によって説明する。まず、実施形態１にかかる貯蔵庫１の全体構成について説明する。ここでは貯蔵庫１としてワイドスルー形式（センターピラーレス）の４ドア式の冷蔵庫を例に説明する。以降の説明では、上下方向における上方は、図１における矢線の方向とする。また、左右方向における右方は、図１、図５における矢線の方向とする。また、前後方向における前方および後方は、図５における矢線の方向とする。
【００１８】
［貯蔵庫１］
図１に示すように、貯蔵庫１は、貯蔵庫本体１０と、扉装置１１と、機械室１２と、を備えて構成されている。
【００１９】
［貯蔵庫本体１０］
図２に示すように、貯蔵庫本体１０は、前方に開口する開口部１０Ａを有する箱状をなしている。貯蔵庫本体１０の内部は、食材などを貯蔵する貯蔵室１４とされる。貯蔵室１４は、柱状の部材２１によって上下に仕切られている。なお、貯蔵室１４には、左右方向の中央において上下方向に延びる柱状の部材（いわゆるセンターピラー）は設けられていない。
【００２０】
［機械室１２］
機械室１２は、貯蔵庫本体１０の上方に設けられている。機械室１２には冷却サイクルを構成する冷却装置（図示せず）が収容されている。冷却装置は蒸発器や循環ファンなどを備えて構成されている。冷却装置が稼働すると蒸発器によって空気が冷却される。冷却された空気（冷気）は循環ファンによって貯蔵室１４内に循環供給される。これにより、貯蔵室１４内は冷却される。
【００２１】
［扉装置１１、扉１５Ａ、１５Ｂ］
図１に示すように、扉装置１１は、貯蔵庫本体１０の前面に、上下に２組設けられている。各扉装置１１は左右一対の観音開き式の扉１５Ａ、１５Ｂを備えて構成されている。
【００２２】
一対の扉１５Ａ、１５Ｂは左右対称の形状とされる。それぞれの扉１５Ａ、１５Ｂは、開口部１０Ａを覆うように貯蔵庫本体１０に取り付けられている。左側の扉１５Ａにおける左側端部は、ヒンジ１６Ａによって貯蔵庫本体１０に前後方向に開閉可能に軸支されている。同様に、右側の扉１５Ｂにおける右側端部は、ヒンジ１６Ｂによって貯蔵庫本体１０に前後方向に開閉可能に軸支されている。一対の扉１５Ａ、１５Ｂは左右対称な形状をなしているものの、それ以外は同じ構成とされる。以降の説明では、右側の扉１５Ｂの構成について主に説明する。
【００２３】
図５に示すように、扉１５Ｂは、外装板１８と、内装板１９と、ドアパッキン２０と、保持部材（保持部）２４と、センターシール４０と、を備えて構成されている。
【００２４】
［外装板１８、内装板１９］
外装板１８はステンレス鋼板などの金属により構成されている。内装板１９は合成樹脂により構成されている。図３、図４に示すように、内装板１９は、扉１５Ｂにおける後面１５Ｄに設けられている。図５に示すように、内装板１９の外縁部には、パッキン装着溝１５Ｃが設けられている。外装板１８と内装板１９との間には、硬質ポリウレタンなどの発泡樹脂からなる図示しない断熱材が発泡充填されている。
【００２５】
［ドアパッキン２０］
ドアパッキン２０は軟質樹脂などの弾性部材によって構成されている。図５に示すように、ドアパッキン２０は、パッキン本体２０Ａと、取付脚２０Ｂと、を備えて構成されている。
【００２６】
図３、図４に示すように、パッキン本体２０Ａは矩形枠状をなしている。閉扉時において、パッキン本体２０Ａは開口部１０Ａの開口縁部に密着する。これにより、扉１５Ｂの後面１５Ｄと貯蔵庫本体１０の開口部１０Ａとの間はシールされる。ただし、ドアパッキン２０のうち、一対の扉１５Ａ、１５Ｂにおける互いに対向する側の端部（以降、開閉側端部（端部）１５Ｅとする）に沿って上下方向に延びる部分は扉１５Ｂと貯蔵庫本体１０との間をシールするものではなく、センターシール４０に設けられている後述するヒレ部４２（図５参照）が接するものである。
【００２７】
図５に示すように、取付脚２０Ｂは、パッキン本体２０Ａから前方に突出し、内装板１９のパッキン装着溝１５Ｃに装着されている。これにより、ドアパッキン２０は扉１５Ｂに保持されている。
【００２８】
［保持部材２４］
保持部材２４は、センターシール４０を保持する部材である。図５に示すように、保持部材２４は、ベース２４Ａと、抑制部６４と、スライド蓋２４Ｂと、を備えて構成されている。
【００２９】
ベース２４Ａは、開閉側端部１５Ｅに全高にわたって装着されている。ベース２４Ａは、第２取付溝２６と、凸状をなす２つの掛止部２８、２９と、を備えて構成されている。
【００３０】
第２取付溝２６は、後述するセンターシール４０における掛止部（取付部）４１Ｆが嵌る溝である。このような第２取付溝２６を含むベース２４Ａは、センターシール４０を取り付ける部分、すなわち保持本体部として機能している。なお、第２取付溝２６は、ドアパッキン２０側の部分に設けられ、第２取付溝２６とドアパッキン２０との間には、隙間Ｇが設けられている。
【００３１】
図５に示すように、抑制部６４は、ベース２４Ａと一体に設けられており、隙間Ｇ内に位置している。抑制部６４は、ベース２４Ａのうちドアパッキン２０と対向する部分からドアパッキン２０に向けて突出し、さらに後方（すなわち、図５におけるヒレ部４２に向かう方向）に突出するＬ字状の突起とされる。なお、抑制部６４の形状は、センターシール４０の動きを阻害しない形状とされる。
【００３２】
図５に示すように、スライド蓋２４Ｂは、第１取付溝３１と、２つの掛止溝３２、３３と、を備えて構成されている。第１取付溝３１は、後述するセンターシール４０に設けられている掛止部４１Ｃが嵌る溝である。掛止溝３２は、ベース２４Ａに設けられている掛止部２８が嵌る溝である。掛止溝３３は、ベース２４Ａに設けられている掛止部２９が嵌る溝である。掛止部２８、２９が掛止溝３２、３３にそれぞれ嵌ることで、スライド蓋２４Ｂは、ベース２４Ａに保持されている。なお、スライド蓋２４Ｂは、上下方向における一方からベース２４Ａにスライド挿入されることでベース２４Ａに取り付けられる。
【００３３】
［センターシール４０］
センターシール４０は、例えば、オレフィン系エラストマーなどの軟質樹脂により構成されている。図１、図３、図４に示すように、センターシール４０は、開閉側端部１５Ｅに全高にわたって装着されている。図５に示すように、センターシール４０は、シール本体４１と、ヒレ部４２と、支持部４３と、第１リップ部４４と、第２リップ部４５と、を備えて構成されている。
【００３４】
シール本体４１は、当接部（シール部）４１Ａと、第１延出部４１Ｂと、第２延出部４１Ｅと、を備えて構成されている。
【００３５】
当接部４１Ａは相手側（他方）の扉１５Ａに装着されているセンターシール４０に接触する部分である。当接部４１Ａは、角形の筒状をなしており、内側の空間はマグネット室４１Ｄとされる。マグネット室４１Ｄには扁平な角柱状をなすマグネット４６が挿入されている。
【００３６】
第１延出部４１Ｂは、当接部４１Ａから前方に延出している。第１延出部４１Ｂの先端部には掛止部４１Ｃが設けられている。
【００３７】
第２延出部４１Ｅは、当接部４１Ａから右方（すなわち、ヒンジ１６Ｂが設けられている扉１５Ｂの開閉軸側）に延出し、さらに延出した先がドアパッキン２０より手前で前側に湾曲している。第２延出部４１Ｅの先端部には掛止部４１Ｆが設けられている。
【００３８】
ヒレ部４２は、シール本体４１から右方に延出している。ヒレ部４２は、隙間Ｇを後方から覆いつつ、ドアパッキン２０に弾性的に接触している。これにより、冷気が庫内から隙間Ｇを通って外部に流れることが抑制される。
【００３９】
掛止部４１Ｃがスライド蓋２４Ｂの第１取付溝３１に嵌まり、かつ、掛止部４１Ｆがベース２４Ａの第２取付溝２６に嵌ることにより、センターシール４０は保持部材２４に保持されている。
【００４０】
図５に示すように、左右の扉１５Ａ、１５Ｂが閉じられると、２つのマグネット４６は互いに吸引し合い、シール本体４１は、相手側のセンターシール４０に向けて変形する。これにより、シール本体４１の当接部４１Ａ同士は当接する。したがって、一対の扉１５Ａ、１５Ｂにおけるそれぞれの開閉側端部１５Ｅ間はシールされる。
【００４１】
支持部４３は、シール本体４１から後方に突出している。支持部４３の先端部には第１リップ部４４および第２リップ部４５が全高にわたって一体に形成されている。支持部４３は、第１リップ部４４および第２リップ部４５を支持している。
【００４２】
第１リップ部４４は、支持部４３の先端から左方に延出している。第１リップ部４４によって、庫内側から当接部４１Ａに向かって流れる冷気が遮蔽される。
【００４３】
第２リップ部４５は、支持部４３の先端から右方に延出している。第２リップ部４５は庫内側から見てヒレ部４２全体を覆っている。つまり、庫内側から見るとヒレ部４２は第２リップ部４５に覆われて全体が視認不能とされる。第２リップ部４５によって、庫内側からヒレ部４２に向かって流れる冷気が遮蔽される。
【００４４】
［ストッパ６５］
図３、図４に示すように、扉１５Ｂにおける上側の側面部１５Ｆおよび下側の側面部１５Ｆには、ストッパ（取付部材）６５が取り付けられている。ここで、上側の側面部１５Ｆおよび下側の側面部１５Ｆは、扉１５Ｂにおける開閉側端部１５Ｅ側の側面１５Ｇと交差する面である。
【００４５】
ストッパ６５は、隙間Ｇを上下方向から覆うように扉１５Ｂに取り付けられている。これにより、隙間Ｇ内に周辺空気が流入することにより生じうる結露を抑制できる。また、ストッパ６５によって、図示しないネジ等の部品を覆い隠している。なお、図１に示すように、ストッパ６５は、左側の扉１５Ａにも同様に設けられている。
【００４６】
［効果］
実施形態１によれば、隙間Ｇ内に抑制部６４を設けることで、例えばメンテナンス時に作業者がヒレ部４２を掴むことによりヒレ部４２が隙間Ｇ内に巻き込まれることが抑制される。したがって、ヒレ部４２が隙間Ｇ内に入り込むことにより生じうるセンターシール４０の破損を抑制できる。
【００４７】
また、抑制部６４は、保持部材２４におけるベース（保持本体部）２４Ａからドアパッキン２０に向けて突出し、さらにヒレ部４２に向けて突出するＬ字状の突起とされる。
ヒレ部４２が隙間Ｇ内に入り込もうとすると、ヒレ部４２が保持部材２４に設けられた突起（抑制部６４）に接触するため、ヒレ部４２が元の位置に押し返される。これにより、ヒレ部４２が隙間Ｇ内に入り込むことを抑制できる。
【００４８】
＜実施形態２＞
本開示の実施形態２を図６によって説明する。実施形態２では、抑制部６４Ａの構成が実施形態１における抑制部６４と異なる。実施形態２における抑制部６４Ａは、ドアパッキン２０に溶着により取り付けられる樹脂材とされる。抑制部６４Ａは、ドアパッキン２０から保持部材２４のベース（保持本体部）２４Ａに向けて斜め後方に突出している。
【００４９】
［効果］
実施形態２によれば、ヒレ部４２が隙間Ｇ内に入り込もうとすると、ヒレ部４２が樹脂材（抑制部６４Ａ）に接触するため、ヒレ部４２が元の位置に押し返される。これにより、ヒレ部４２が隙間Ｇ内に入り込むことを抑制できる。
【００５０】
＜実施形態３＞
本開示の実施形態３を図７によって説明する。実施形態３では、抑制部６４Ｂの構成が実施形態１、２における抑制部６４、６４Ａと異なる。
【００５１】
抑制部６４Ｂは、ストッパ６５Ａに設けられており、ストッパ６５Ａから隙間Ｇ内に向けて突出する突起とされる。なお、図７には、上側の側面部１５Ｆに設けられているストッパ６５が図示されているが、下側の側面部に設けられているストッパ（図示せず）についても同様に抑制部が設けられている。
【００５２】
［効果］
実施形態３によれば、ヒレ部４２が隙間Ｇ内に入り込もうとすると、ヒレ部４２がストッパ６５Ａに設けられた突起（抑制部６４Ｂ）に接触するため、ヒレ部４２が元の位置に押し返される。これにより、ヒレ部４２が隙間Ｇ内に入り込むことを抑制できる。
【００５３】
＜実施形態４＞
本開示の実施形態４を図８、図９によって説明する。実施形態４では、抑制部６４Ｃの構成が実施形態１から３における抑制部６４、６４Ａ、６４Ｂと異なる。
【００５４】
図８に示すように、扉１５Ｂには、コの字状をなす部材が取り付けられており、抑制部６４Ｃは、コの字状をなす部材における、上下方向（側面１５Ｇの延びる方向）に長い棒状の部分とされる。図９に示すように、抑制部６４Ｃは、隙間Ｇ内に挿通されている。
【００５５】
［効果］
実施形態４によれば、ヒレ部４２が隙間Ｇ内に入り込もうとすると、ヒレ部４２が隙間Ｇ内に挿通された棒状の抑制部６４Ｃに接触するため、ヒレ部が元の位置に押し返される。これにより、ヒレ部４２が隙間Ｇ内に入り込むことを抑制できる。
【００５６】
＜他の実施形態＞
本開示は上記記述および図面によって説明した実施形態に限定されるものではなく、例えば次のような実施形態も本開示の技術的範囲に含まれる。
【００５７】
（１）実施形態１で説明したシール本体４１の形状は一例である。シール本体４１の形状は、相手側のセンターシール４０に当接して扉１５Ａ、１５Ｂの開閉側端部１５Ｅ間をシールできる形状であればよく、適宜変更可能である。
【００５８】
（２）実施形態１では貯蔵庫１として左右一対の扉１５Ａ、１５Ｂが上下に２組設けられた４ドア式の冷蔵庫を例に説明したが、これに限定されない。貯蔵庫は、例えば左右一対の扉が一組だけ設けられた２ドア式の冷蔵庫であってもよい。また、実施形態１では貯蔵庫１として冷蔵庫を例に説明したが、貯蔵庫は冷凍庫であってもよい。
【００５９】
（３）実施形態３では、抑制部６４Ｂは上側のストッパ６５Ａおよび下側のストッパ６５Ａの双方に設けられる構成としたが、これに限られることはなく、例えば、抑制部は上側のストッパおよび下側のストッパの少なくとも一方に設けられる構成としても良い。
【００６０】
（４）実施形態４では、抑制部６４Ｃは、コの字状をなす部材における、上下方向に長い棒状の部分とされる構成としたが、これに限られることはなく、例えば、図１０に示すように、扉１５Ｂには、一対のＬ字状をなす部材が取り付けられており、抑制部６４Ｄは、一対のＬ字状をなす部材における、上下方向に長い棒状の部分とされる構成としても良い。また、図１１に示すように、扉１５Ｂには、Ｌ字状をなす部材が取り付けられており、抑制部６４Ｅは、Ｌ字状をなす部材における、上下方向に長い棒状の部分とされる構成としても良い。
【符号の説明】
【００６１】
１：  貯蔵庫
１０：  貯蔵庫本体
１０Ａ：  開口部
１１：  扉装置
１２：  機械室
１４：  貯蔵室
１５Ａ、１５Ｂ：  扉
１５Ｃ：  パッキン装着溝
１５Ｄ：  後面
１５Ｅ：  開閉側端部（端部）
１５Ｆ：  側面部
１５Ｇ：側面
１６Ａ、１６Ｂ：  ヒンジ
１８：  外装板
１９：  内装板
２０：  ドアパッキン
２０Ａ：  パッキン本体
２０Ｂ：  取付脚
２１：  柱状の部材
２４：  保持部材（保持部）
２４Ａ：  ベース（保持本体部）
２４Ｂ：  スライド蓋
２６：  第２取付溝（保持本体部）
２８、２９：  掛止部
３１：  第１取付溝
３２、３３：  掛止溝
４０：  センターシール
４１：  シール本体
４１Ａ：  当接部（シール部）
４１Ｂ：  第１延出部
４１Ｃ：  掛止部
４１Ｄ：  マグネット室
４１Ｅ：  第２延出部
４１Ｆ：  掛止部（取付部）
４２：  ヒレ部
４３：  支持部
４４：  第１リップ部
４５：  第２リップ部
４６：  マグネット
６４、６４Ａ、６４Ｂ、６４Ｃ、６４Ｄ、６４Ｅ：  抑制部
６５、６５Ａ：  ストッパ（取付部材）
Ｇ：  隙間
【図１】
2020180766.tif 000003
【図２】
2020180766.tif 000004
【図３】
2020180766.tif 000005
【図４】
2020180766.tif 000006
【図５】
2020180766.tif 000007
【図６】
2020180766.tif 000008
【図７】
2020180766.tif 000009
【図８】
2020180766.tif 000010
【図９】
2020180766.tif 000011
【図１０】
2020180766.tif 000012
【図１１】
2020180766.tif 000013